(57)【要約】【課題】  報知モードの設定等を容易に行うことのできる着信報知装置等を提供する。【解決手段】  制御部は、利用者による操作部の操作に応答して、マナーモードを実行すし（Ｓ１０）、継続時間の入力を促す入力画面を表示部に表示する（Ｓ２０）。操作部を介して利用者が入力した継続時間を取得し（Ｓ３０）、カウンタに値を保存すると（Ｓ４０）、制御部は、時間延長の割り込みの有無を判別しながら、継続時間の経過を待機する（Ｓ５０〜Ｓ７０）。時間延長の割り込みがあると、制御部は、Ｓ２０に処理を戻し、継続時間を再度取得する。そして、継続時間が経過すると、制御部は、マナーモードを解除する（Ｓ８０）。【選択図】  図４
2006229441.tif 000002
【特許請求の範囲】
【請求項１】
着信を検出する検出手段と、設定される報知モードに応じて異なる報知形態により着信を報知する報知手段とを備える着信報知装置であって、
前記報知手段に設定される報知モードと当該報知モードの有効期間とを対応付けて記憶する記憶手段と、
前記記憶手段に記憶された有効期間の経過を計時する計時手段と、
前記計時手段により有効期間の経過が計時される前に、前記記憶手段に記憶された有効期間の変更を指示する指示手段と、
前記指示手段により有効期間の変更が指示されると、変更された有効期間を新たに当該報知モードの有効期間として設定する設定手段と、
を備えることを特徴とする着信報知装置。
【請求項２】
前記指示手段は、所定の操作キーの押下状態に応じて、有効期間の延長若しくは短縮を指示することを特徴とする請求項１に記載の着信報知装置。
【請求項３】
振動手段または発光手段を更に備え、
前記報知手段は、少なくともこの振動手段若しくは発光手段により着信を報知することを特徴とする請求項１または２に記載の着信報知装置。
【請求項４】
着信を検出する無線部と、設定される報知モードに応じて異なる報知形態により着信を報知する報知部を備える端末装置における報知制御方法であって、
前記報知部に設定される報知モードと当該報知モードの有効期間とを対応付けて所定の記憶部に格納する格納ステップと、
前記格納ステップにて格納された有効期間の経過を計時する計時ステップと、
前記計時ステップにて有効期間の経過が計時される前に、前記格納ステップに格納された有効期間の変更を指示する指示ステップと、
前記指示ステップにて有効期間の変更が指示されると、変更された有効期間を新たに当該報知モードの有効期間として設定する設定ステップと、
を備えることを特徴とする報知制御方法。
【請求項５】
着信を検出する無線部と、設定される報知モードに応じて異なる報知形態により着信を報知する報知部とを備えるコンピュータに、
前記報知部に設定される報知モードと当該報知モードの有効期間とを対応付けて所定の記憶部に格納する格納ステップと、
前記格納ステップにて格納された有効期間の経過を計時する計時ステップと、
前記計時ステップにて有効期間の経過が計時される前に、前記格納ステップに格納された有効期間の変更を指示する指示ステップと、
前記指示ステップにて有効期間の変更が指示されると、変更された有効期間を新たに当該報知モードの有効期間として設定する設定ステップと、
を実行させることを特徴とするプログラム。
【発明の詳細な説明】
【技術分野】
【０００１】
本発明は、着信を報知する着信報知装置等に関し、特に、報知モードの設定等を容易に行うことのできる着信報知装置、報知制御方法、および、プログラムに関する。
【背景技術】
【０００２】
従来より、携帯電話機には、いわゆるマナーモードの機能が備わっている。このマナーモードは、着信音を発することなく、振動や発光により着信を知らせる報知モードの一形態である。利用者は、電車内等の乗り物内や、映画館等の施設内において、携帯電話機をこのマナーモードに設定し、着信があった場合でも着信音を出力させない様にしている。
【０００３】
最近では、登録したスケジュールに合わせて、マナーモード等の設定を行うことのできる携帯電話機の技術も開示されている（例えば、特許文献１参照）。
【特許文献１】特開２００１−２５１３９５号公報  （第３−６頁、第２図）
【発明の開示】
【発明が解決しようとする課題】
【０００４】
上述した特許文献１の携帯電話機では、利用者がスケジュールに対応させて、マナーモード等を設定可能となっている。例えば、予定される会議の時間帯（９：００〜１２：００）にマナーモードが設定されている場合に、携帯電話機は、会議開始時刻（９：００）になるとマナーモードに移行し、そして、会議終了時刻（１２：００）になると通常モードに移行する（マナーモードを解除する）。
【０００５】
しかしながら、特許文献１の技術では、予めスケジュールを登録しておかなければならず、操作キー等を操作して、何時何分から何時何分までといった時間帯等を設定することになるため、利用者にとって極めて面倒であった。また、利用者がスケジュールに登録していない行動を取る場合（例えば、予定外に電車に乗る場合等）には、対応できないという問題もあった。
更に、スケジュールを登録しておいた場合でも、そのスケジュールに遅れが生じた場合（例えば、参加した会議が長引いた場合や、乗車した電車の到着が遅れた場合等）では、利用者が再度、時間帯等を設定し直す必要があった。
なお、特許文献１の技術では、急なスケジュールの変更に対応するため、スケジュールの終了時刻が経過した場合でも、利用者が移行許可を入力しないと、マナーモードから通常モードに移行しない（マナーモードを解除しない）ことについても説明している。それでも、利用者が移行許可の入力自体を忘れてしてしまうと、マナーモードが解除されないという問題があった。
【０００６】
そのため、マナーモードの設定や、設定後の変更を容易に行うことのできる技術が求められていた。
【０００７】
本発明は、上記実状に鑑みてなされたもので、報知モードの設定等を容易に行うことのできる着信報知装置、報知制御方法、および、プログラムを提供することを目的とする。
【課題を解決するための手段】
【０００８】
上記目的を達成するため、本発明の第１の観点に係る着信報知装置は、
着信を検出する検出手段と、設定される報知モードに応じて異なる報知形態により着信を報知する報知手段とを備える着信報知装置であって、
前記報知手段に設定される報知モードと当該報知モードの有効期間とを対応付けて記憶する記憶手段と、
前記記憶手段に記憶された有効期間の経過を計時する計時手段と、
前記計時手段により有効期間の経過が計時される前に、前記記憶手段に記憶された有効期間の変更を指示する指示手段と、
前記指示手段により有効期間の変更が指示されると、変更された有効期間を新たに当該報知モードの有効期間として設定する設定手段と、
を備えることを特徴とする。
【０００９】
この発明によれば、記憶手段は、報知手段に設定される報知モード（例えば、マナーモード）と、この報知モードの有効期間（例えば、継続時間等）とを対応付けて記憶する。計時手段は、記憶手段に記憶された有効期間の経過を計時する。指示手段は、計時手段により有効期間の経過が計時される前に、例えば、操作キーの押下等に応答して、記憶手段に記憶された有効期間の変更を指示する。そして、設定手段は、指示手段により有効期間の変更が指示されると、変更された有効期間を新たに当該報知モードの有効期間として設定する。すなわち、マナーモード等の有効期間内に、その有効期間の延長や短縮を簡単な操作で指示することができる。この結果、報知モードの設定等を容易に行うことができる。
【００１０】
前記指示手段は、所定の操作キーの押下状態（例えば、特定操作キーの長押し等）に応じて、有効期間の延長若しくは短縮を指示してもよい。
【００１１】
上記着信報知装置は、振動手段または発光手段を更に備え、
前記報知手段は、少なくともこの振動手段若しくは発光手段により着信を報知してもよい。
【００１２】
上記目的を達成するため、本発明の第２の観点に係る報知制御方法は、
着信を検出する無線部と、設定される報知モードに応じて異なる報知形態により着信を報知する報知部とを備える端末装置における報知制御方法であって、
前記報知部に設定される報知モードと当該報知モードの有効期間とを対応付けて所定の記憶部に格納する格納ステップと、
前記格納ステップにて格納された有効期間の経過を計時する計時ステップと、
前記計時ステップにて有効期間の経過が計時される前に、前記格納ステップに格納された有効期間の変更を指示する指示ステップと、
前記指示ステップにて有効期間の変更が指示されると、変更された有効期間を新たに当該報知モードの有効期間として設定する設定ステップと、
を備えることを特徴とする。
【００１３】
この発明によれば、格納ステップは、報知部に設定される報知モード（例えば、マナーモード）と、この報知モードの有効期間（例えば、継続時間等）とを対応付けて所定の記憶部に格納する。計時ステップは、格納ステップにて格納された有効期間の経過を計時する。指示ステップは、計時ステップにて有効期間の経過が計時される前に、例えば、操作キーの押下等に応答して、格納ステップにて格納された有効期間の変更を指示する。そして、設定ステップは、指示ステップにて有効期間の変更が指示されると、変更された有効期間を新たに当該報知モードの有効期間として設定する。すなわち、マナーモード等の有効期間内に、その有効期間の延長や短縮を簡単な操作で指示することができる。この結果、報知モードの設定等を容易に行うことができる。
【００１４】
上記目的を達成するため、本発明の第３の観点に係るプログラムは、
着信を検出する無線部と、設定される報知モードに応じて異なる報知形態により着信を報知する報知部とを備えるコンピュータに、前記報知部に設定される報知モードと当該報知モードの有効期間とを対応付けて所定の記憶部に格納する格納ステップと、前記格納ステップにて格納された有効期間の経過を計時する計時ステップと、前記計時ステップにて有効期間の経過が計時される前に、前記格納ステップに格納された有効期間の変更を指示する指示ステップと、前記指示ステップにて有効期間の変更が指示されると、変更された有効期間を新たに当該報知モードの有効期間として設定する設定ステップと、を実行させることを特徴とする。
【発明の効果】
【００１５】
本発明によれば、報知モードの設定等を容易に行うことができる。
【発明を実施するための最良の形態】
【００１６】
本発明の実施形態にかかる着信報知装置について、具体的に、携帯電話機を一例として説明する。
【００１７】
（実施形態１）
図１は、この発明の実施形態に適用される携帯電話機１の外観の一例を示す模式図である。ヒンジ部４を回動軸として蓋部２、本体部３とが折り畳み可能な携帯電話機１の外観上の構成には、図示するように、アンテナ１０、マイクロホン３０Ｍ、スピーカ３０Ｓ、表示部４０、操作部７０、及び、着信報知用スピーカ８０等が含まれている。また、ヒンジ部４を回動軸とした蓋部２及び本体部３の位置関係に関わらず常に露出する位置にサイドキー７２が配置されている。
なお、携帯電話機１は、少なくとも、着信音スピーカ８０から出力される着信音により着信を報知する通常の報知モードと、後述するバイブレータ８１の振動若しくはＬＥＤ８２の発光により着信を報知するマナーモードとを有している。
【００１８】
図２は、携帯電話機１の詳細な構成の一例を示すブロック図である。図示するように、携帯電話機１は、アンテナ１０、無線部２０、音声処理部３０、表示部４０、制御部５０、記憶部６０、操作部７０、着信音スピーカ８０、バイブレータ８１、及び、ＬＥＤ８２を含んで構成される。
【００１９】
アンテナ１０は、所定の基地局等から送信された無線信号を受信し、無線部２０に供給する。また、アンテナ１０は、無線部２０より供給された送信信号を基地局等に向けて送信する。
【００２０】
無線部２０は、例えば、ＰＳＫ（Phase Shift Keying：位相シフト変調)方式に基づく変復調、及び、ＣＤＭＡ（Code Division Multiple Access：符号分割多重）方式に基づく無線処理等を行う。
つまり、無線部２０は、受信時に、アンテナ１０を介して受信した信号を復調する処理を行い、復調した信号を制御部５０に供給する。一方、送信時に、制御部５０から供給された信号を変調する処理を行い、変調した信号をアンテナ１０に供給する。
なお、無線部２０は、着信（携帯電話機１への呼び出し）を検出すると、着信検出信号を制御部５０に供給する。
【００２１】
音声処理部３０は、マイクロホン３０Ｍ及びスピーカ３０Ｓが接続され、音声処理を行う。つまり、音声処理部３０は、マイクロホン３０Ｍから入力した音声信号を制御部５０に入力するための音声処理を行うと共に、制御部５０から供給された信号に基づきスピーカ３０Ｓから音声を出力するための音声処理を行う。
【００２２】
表示部４０は、例えば、ＬＣＤ（Liquid Crystal Display）から構成され、携帯電話１の動作状況を表す画像等を表示する。
例えば、利用者がマナーモードの設定を行う際に、表示部４０は、図３に示すような入力画面等を表示する。図示する入力画面は、継続時間の入力を促すための画面の一例である。なお、ここで入力される継続時間は、マナーモードを継続させるための有効期間を示しており、後述する記憶部６０（カウンタ６１）に記憶される。
【００２３】
図２に戻って、制御部５０は、例えば、ＣＰＵ（Central Processing Unit）、ＲＯＭ（Read Only Memory）及び、ＲＡＭ（Random Access Memory）等から構成され、携帯電話機１全体を制御する。すなわち、ＣＰＵがＲＯＭに記憶されている所定のプログラムを実行することにより、携帯電話機１の各部の動作を制御する。なお、ＲＡＭは、ＣＰＵがプログラムを実行する際に、ワークメモリとして用いられる。
【００２４】
より具体的に説明すると、制御部５０は、マナーモード設定手段５１と、時間計測手段５２とを備えている。
このマナーモード設定手段５１は、利用者による操作部７０の操作等に応答して、携帯電話機１をマナーモードに移行させる。また、時間計測手段５２は、記憶部６０に記憶された継続時間（カウンタ値）を計時する。
そして、マナーモード設定手段５１は、時間計測手段５２が継続時間の計時を終えると（カウンタ値が０になると）、マナーモードを解除する。
なお、マナーモード設定中において、制御部５０は、無線部２０により着信が検出された場合に、着信音を発することなく、振動や発光により着信を知らせる。
【００２５】
記憶部６０は、ＲＡＭ等からなり、各種データを記憶する。例えば、記憶部６０は、マナーモードの継続時間を記憶しておくためのカウンタ６１を備えている。
このカウンタ６１は、利用者による操作部７０の操作により、任意のカウンタ値（継続時間）が設定され、マナーモードに移行した後、適宜カウントダウンされる。つまり、カウンタ６１は、マナーモードの残り時間を表している。そして、カウンタ６１の値が０になると、マナーモードは解除される。
【００２６】
操作部７０は、利用者による種々の入力操作を受け付ける。例えば、操作部７０は、入力インタフェースとしてのテンキー７１やサイドキー７２等を備えており、利用者のキー操作に応じて、マナーモードの継続時間等を入力する。
また、操作部７０は、マナーモード設定後（マナーモード中）に、継続時間の延長を指示する操作も受け付け可能となっている。
【００２７】
バイブレータ８１、及びＬＥＤ８２は、制御部５０が自機を呼び出す着信応答要求信号をアンテナ１０、無線部２０を介して受信したことを検知することにより、マナーモード設定手段によって設定された時間内であれば、駆動信号が入力されることにより振動、もしくは発光する。また、着信音スピーカ８０は、制御部５０が着信応答要求信号を受信したことを検知することにより、マナーモード設定手段によって設定された時間外であれば、駆動信号が入力されることにより予め設定されたメロディを放音する。
【００２８】
上述した構成の携帯電話機１の動作について、以下、図４を参照して説明する。図４は上述した制御部５０が実行するマナーモード設定処理を説明するためのフローチャートである。このマナーモード設定処理は、例えば、操作部７０における特定キーの長押しや、表示部４０に表示したメニュー画面からの選択に応答して開始される。
【００２９】
まず、制御部５０は、マナーモードを実行する（ステップＳ１０）。すなわち、マナーモード設定手段５１は、携帯電話機１をマナーモードに移行させる。
【００３０】
制御部５０は、継続時間の入力を促す入力画面を表示部４０に表示する（ステップＳ２０）。たとえば、表示部４０は、上述した図３に示すような入力画面を表示する。
【００３１】
制御部５０は、操作部７０を介して利用者が入力した継続時間を取得する（ステップＳ３０）。つまり、利用者は、テンキー７１を操作して、マナーモードの継続時間を入力する。この際、例えば、分単位で継続時間を入力し、無期限の場合は、「００」等を入力する。
【００３２】
制御部５０は、利用者に入力された継続時間を記憶部６０に記憶する（ステップＳ４０）。すなわち、制御部５０は、テンキー７１が操作されて入力された数値を認識し、その値をカウンタ６１に保存する。
【００３３】
制御部５０は、時間延長の割り込みの有無を判別する（ステップＳ５０）。つまり、操作部７０にて継続時間の延長を指示する操作を受け付けたか否かを判別する。
【００３４】
制御部５０は、時間延長の割り込みが有ったと判別すると、上述したステップＳ２０に処理を戻す。すなわち、継続時間の入力を促す入力画面を表示部４０に表示し、継続時間を取得し、取得した値をカウンタ６１に保存し直す。
【００３５】
一方、時間延長の割り込みが無かったと判別した場合に、制御部５０は、１分が経過したか否かを判別する（ステップＳ６０）。そして、制御部５０は、１分が経過した場合に限り、カウンタ６１の値を１だけ減算する（ステップＳ６５）。
すなわち、時間計測手段５２が時間を計時し、１分経過する毎に、カウンタ６１の値を１ずつ減らしていく。
【００３６】
制御部５０は、カウンタ６１の値がゼロになったか否かを判別する（ステップＳ７０）。つまり、制御部５０は、利用者により設定されたマナーモードの継続時間が経過したか否かを判別する。
【００３７】
制御部５０は、カウンタ６１の値がゼロになっていない（継続時間中である）と判別すると、ステップＳ５０に処理を戻し、上述したステップＳ５０〜Ｓ７０等の処理を繰り返し実行する。
【００３８】
一方、カウンタ６１の値がゼロになったと判別した場合に、制御部５０は、マナーモードを解除する（ステップＳ８０）。
つまり、継続時間が経過したため、マナーモード設定手段５１は、マナーモードを解除する。
【００３９】
このようなマナーモード設定処理により、利用者がマナーモードの設定をする際に、現時点からの継続時間をキー入力することになる。このため、従来技術のように、何時何分から何時何分までの時間帯等を入力する必要がなく、容易にマナーモードの設定を行うことができる。
また、マナーモードの設定後（マナーモード中）に、継続時間の延長等も容易に指示することができる。
この結果、マナーモードの設定や変更を容易に行うことができる。
【００４０】
上記の実施形態では、マナーモードの設定後（マナーモード中）に、継続時間を延長する場合について説明したが、継続時間を短縮する場合にも同様に適用可能である。
例えば、会議が始まった後に、出席者の都合等により短く終わることが明らかになった場合には、利用者は、その時点で残りの継続時間を再度入力することになる。つまり、携帯電話機１は、上述したマナーモード設定処理におけるステップＳ５０にて割り込みの発生を判別し、ステップＳ２０にて入力画面を表示する。そして、利用者が短縮後の継続時間を入力すると、ステップＳ４０にてその値をカウンタ６１に保存し直す。
この場合、最初のマナーモードの設定時よりも早く、継続時間が経過し、マナーモードが解除されることになる。
なお、直ちに、マナーモードを解除する場合は、操作部７０における特定キーの長押しや、表示部４０に表示したメニュー画面からの選択により、マナーモードの解除指示を受け付けるものとする。
【００４１】
上記の実施形態では、マナーモードの継続時間を変更（延長又は短縮）する際に、図３に示すような入力画面を表示する場合について説明したが、サイドキー７２の操作指示により、継続時間を変更できるようにしてもよい。以下、そのようなケースについて、変形例として述べる。
【００４２】
（変形例）
図５はサイドキー７２の操作のみでマナーモードの継続時間延長／短縮、マナーモード解除を行うマナーモード設定変更処理の一例を示すフローチャートである。
なお、このマナーモード設定変更処理は、携帯電話機１が着信待ち状態であれば、任意のタイミングでユーザの操作検出により実行される。
【００４３】
まず、制御部５０は、ユーザの操作によりサイドキー７２の押下を検出したか否かを判断する（ステップＳ１０１）。そして、制御部５０は、サイドキー７２の押下を検出しなかった場合に、処理を抜け、一方、押下を検出した場合に、記憶部６０に記憶されている現在のマナーモード設定状態を読み出して表示部４０に表示する（ステップＳ１０２）。
制御部５０は、この設定状態によりマナーモードが設定されているか否か判断し（ステップＳ１０３）、マナーモードが設定されていれば、設定確認、継続時間の変更（延長／短縮）の指示を見分けるために、サイドキー７２の再押下の検出状況を判別する（ステップＳ１０４）。
【００４４】
制御部５０は、サイドキー７２の再押下を検出しなかった場合に、予め設定された所定時間で延長処理を行い（ステップＳ１０５）、処理を抜ける。例えば、当該マナーモードが最初に設定されたときの所定時間をカウンタ６１に上書き保存し、その所定時間をマナーモードの継続時間として設定する。
一方、サイドキー７２の再押下を検出した場合に、制御部５０は、その再押下が所定時間以上継続されているか否かを判断する（ステップＳ１０６）。
【００４５】
制御部５０は、再押下が所定時間以上継続している場合に、その押下時間の長さに応じて、マナーモードの継続時間等を変化させて表示部４０に表示しつつ（ステップＳ１０７）、サイドキー７２が押下解除されるのを待機する（ステップＳ１０８）。例えば、押下時間に応じて、「１０分→２０分→３０分→６０分→マナーモード解除」の順に、継続時間等の表示をサイクリックに変化させながら、押下の解除を待つ。
そして、サイドキー７２が押下解除されると、制御部５０は、そのときのタイミングで表示部４０に表示されている内容、すなわち、継続時間（１０分、２０分、３０分、６０分）、または、マナーモード解除の表示を判断する（ステップＳ１０９）。
【００４６】
制御部５０は、マナーモード解除が表示されたタイミングでサイドキー７２の押下解除を検出した場合に、マナーモード解除設定を行い（ステップＳ１１０）、処理を抜ける。
一方、継続時間（１０分、２０分、３０分、６０分）が表示されているタイミングでサイドキー７２の押下解除を検出した場合に、制御部５０は、その継続時間でマナーモードを延長処理するか否かの確認表示を行う（ステップＳ１１１）。例えば、表示部４０に、その継続時間を表示すると共に、「ＯＫ」及び「キャンセル」の選択肢を表示する。
【００４７】
ここで、利用者により「ＯＫ」が選択され、表示された継続時間での延長が指示されると、制御部５０は、その設定された継続時間で延長処理を行う（ステップＳ１１３）。つまり、表示された継続時間をカウンタ６１に上書き保存し、マナーモードの継続時間として設定する。
一方、「ＯＫ」が選択されなかった場合に、「キャンセル」が選択されたか否かを判別する。「キャンセル」が選択されなかった場合に、制御部５０は、上述のステップＳ１１１に処理を戻す。また、「キャンセル」が選択され、表示された継続時間での延長が望まれない場合に、制御部５０は、上述したステップＳ１０５に処理を戻す（つまり、予め設定された所定時間で延長処理を行う）。
【００４８】
また、上述のステップＳ１０６にて、再押下が所定時間以上継続していなかったと判別した場合に、制御部５０は、現在のマナーモードの設定内容を表示部４０に表示し（ステップＳ１１５）、所定時間経過したか否かを判断する（ステップＳ１１６）。ここで、制御部５０は、所定時間経過していなければ、設定内容の表示を継続し、一方、所定時間経過すると、処理を抜ける。
【００４９】
また、上述のステップＳ１０３にて、マナーモードが設定されていない場合に、制御部５０は、マナーモード設定を行い（ステップＳ１１７）、処理を抜ける。例えば、制御部５０は、予め決められた所定時間（一例として、３０分）をカウンタ６１に設定し、マナーモードに移行する。
【００５０】
このようなマナーモード設定変更処理により、利用者がサイドキー７２を適宜押下することで、継続時間の延長等を容易に指示することができる。この結果、マナーモードの設定や変更を容易に行うことができる。
【００５１】
なお、上記の実施形態では、報知モードの一形態として、マナーモードの設定について説明したが、他に、サイレントモードやドライブモードの設定についても同様に適用可能である。
【００５２】
上記の実施形態では、着信報知装置を説明するために、携帯電話機１を一例として説明したが、本発明の着信報知装置は、携帯電話機１に限られるものではなく、他の機器にも適用可能である。
すなわち、本発明は、日常的に携帯可能に形成され、電話や電子メールのごとき情報を伝達するための情報伝達信号を受信し、該情報伝達信号の着信時に、複数の報知形態の何れかにて報知する種々の端末装置により通信機により実施することができる。
【００５３】
また、携帯型のパソコン（パーソナルコンピュータ）等にも適宜適用することができる。
つまり、無線通信を行う通信カード等を備えたパソコンに、上述したマナーモード設定処理を行うプログラムを、フレキシブルディスク、ＣＤ−ＲＯＭ（Compact Disk Read-Only Memory）、ＤＶＤ（Digital Versatile Disk）、ＭＯ（Magneto Optical Disk）などのコンピュータ読み取り可能な記録媒体に格納して配布し、これをコンピュータにインストールし、上述の手段として動作させ、あるいは上述のステップを実行させてもよい。
さらに、インターネット上のサーバ装置が有するディスク装置等にプログラムを格納しておき、例えば搬送波に重畳させてコンピュータにダウンロードする等してもよい。
【００５４】
以上説明したように、本発明によれば、報知モードの設定等を容易に行うことができる。
【図面の簡単な説明】
【００５５】
【図１】本発明の実施形態に係る携帯電話機の外観の一例を示す模式図である。
【図２】携帯電話機の詳細な構成の一例を示すブロック図である。
【図３】表示部に表示される入力画面の一例を示す模式図である。
【図４】本発明の実施形態に係るマナーモード設定処理を説明するためのフローチャートである。
【図５】本発明の他の実施形態（変形例）に係るマナーモード設定変更処理を説明するためのフローチャートである。
【符号の説明】
【００５６】
１    携帯電話機（着信報知装置）
１０  アンテナ
２０  無線部
３０  音声処理部
４０  表示部
５０  制御部（検出手段）
５１  マナーモード設定手段（設定手段）
５２  時間計測手段（計時手段）
６０  記憶部（記憶手段）
６１  カウンタ（計時手段）
７０  操作部
７１  テンキー（指示手段）
７２  サイドキー（指示手段）
８０  着信音スピーカ（報知手段）
８１  バイブレータ（報知手段、振動手段）
８２  ＬＥＤ（報知手段、発光手段）
【図１】
2006229441.tif 000003
【図２】
2006229441.tif 000004
【図３】
2006229441.tif 000005
【図４】
2006229441.tif 000006
【図５】
2006229441.tif 000007